(57)【要約】【課題】短い時間で的確に組み立て可能で、組立て後の調整や保守管理等も容易な利点をもつ光学ユニット及び当該光学ユニットを備えた電子カメラを提供。【解決手段】本発明の光学ユニットは、光学部材（２１）及び光量調整機構３０及び光量調整用アクチュエーター６０を収容する第一のケース部材１００を有する第一のユニット（光量調整ユニットＳＵ）と、レンズ群２２及びレンズ駆動用アクチュエーター７０を収容する第二のケース部材２００を有する第二のユニット（レンズユニットＬＵ）とを備え、第一のユニット（ＳＵ）と第二のユニット（ＬＵ）とは第一のケース部材１００と第二のケース部材２００との間に設けられた結合手段ＣＭを介して着脱自在に結合可能となっていることを主たる特徴としている。【選択図】　　図５
2004053687.tif 000002
【特許請求の範囲】
【請求項１】
被写体からの光束を取込む光学部材と、この光学部材で取込まれた光束の光量を調整するための光量調整機構と、この光量調整機構を駆動する光量調整用アクチュエーターと、前記光学部材及び光量調整機構及び光量調整用アクチュエーターを収容する第一のケース部材とを有する第一のユニットと、
前記光量調整機構で光量を調整された光束から所定の被写体像を得るべく移動可能に設けられたレンズ群と、これらのレンズ群を駆動するレンズ駆動用アクチュエーターと、前記レンズ群及びレンズ駆動用アクチュエーターを収容する第二のケース部材とを有する第二のユニットと、
を備え、前記第一のユニットと第二のユニットとは、前記第一のケース部材と第二のケース部材との間に設けられた結合手段を介して着脱自在に結合可能となっていることを特徴とする光学ユニット。
【請求項２】
前記光量調整用アクチュエーターは、前記光学部材の片側に隣接して配置されていることを特徴とする請求項１に記載の光学ユニット。
【請求項３】
前記光学部材は、被写体から入射する光束を折り曲げる反射光学部材であることを特徴とする請求項１または２に記載の光学ユニット。
【請求項４】
前記光量調整機構は、前記第一のユニットにおける前記第二のユニットとの結合面に配置されていることを特徴とする請求項１又は２又は３に記載の光学ユニット。
【請求項５】
前記第一のユニットと前記第二のユニットとを一体的に結合した状態において、上記光量調整用アクチュエーター及び上記レンズ駆動用アクチュエーターは、前記レンズ群の光軸方向と略平行な一つの直線領域に沿って配置されていることを特徴とする請求項１ないし４のいずれか一つに記載の光学ユニット。
【請求項６】
前記第二のケース部材は、前記第一のケース部材との結合をはかるための結合部位に、上記第一のケース部材の中に収容されている前記光学部材を位置決めするための位置決め部材を備えていることを特徴とする請求項１ないし５のいずれか一つに記載の光学ユニット。
【請求項７】
前記第二のケース部材に設けられた位置決め部材は、前記第一のケース部材と第二のケース部材との間の位置決めを行なうケース部材間の位置決め部材を兼ねていることを特徴とする請求項６に記載の光学ユニット。
【請求項８】
前記位置決め部材は光軸の方向に沿って突出した突出部からなり、前記第一のケース部材は上記突出部が嵌挿される嵌挿部を有し、前記光学部材は上記嵌挿部に嵌挿された前記突出部と係合する係合部を備えていることを特徴とする請求項７に記載の光学ユニット。
【請求項９】
被写体からの光束を取込む光学部材と、上記光学部材で取込まれた光束の光量を調整するための光量調整機構と、前記光学部材及び光量調整機構を収容する第一のケース部材とを有する第一のユニットと、
前記光量調整機構で光量を調整された光束から被写体像を得るべく移動可能に設けられたレンズ群と、これらのレンズ群を収容する第二のケース部材とを有する第二のユニットと、
前記第一のユニットと第二のユニットとを着脱自在に結合するように前記第一のケース部材と第二のケース部材との間に設けられた結合手段と、
この結合手段により前記第一のケース部材と第二のケース部材とが結合されるとき、上記第一のケース部材の中に収容されている前記光学部材の位置決めがなされるように、前記第二のケース部材の結合部位に設けられた位置決め部材と、
を備えたことを特徴とする光学ユニット。
【請求項１０】
上記請求項１ないし９のいずれか一つに記載の光学ユニットを搭載したことを特徴とする電子カメラ。
【発明の詳細な説明】
【０００１】
【発明の属する技術分野】
本発明は、光量調整ユニット及びレンズユニットを有する光学ユニット、及びこの光学ユニットを備えた電子カメラに関する。
【０００２】
【従来の技術】
一般に電子カメラにおける光学ユニットは、被写体からの光量を調節するための光量調整機構、所定の被写体像を得るためのレンズ群、上記光量調整機構及びレンズ群を駆動するための各アクチュエーター、等が一つの枠体（ケース）に収容固定されたものとなっている。
【０００３】
【発明が解決しようとする課題】
上記の如く従来の光学ユニットは、光量調整機構、レンズ群、各アクチュエーターなどの全てが、一つの枠体（ケース）内に一体的に収容固定されている。このため組立ての作業性が悪く、組立てに長い時間を要する上、組立後の調整作業も面倒であった。
【０００４】
本発明は、このような事情に基づいてなされたものであり、その目的は、組立て作業の単純化を図ることができ、短い時間で的確に組み立てることができ、しかも組立て後の調整や保守管理等も容易に行なえる利点をもつ、光学ユニット及び当該光学ユニットを備えた電子カメラを提供することにある。
【０００５】
【課題を解決するための手段】
前記課題を解決し目的を達成するために、本発明の光学ユニット及び当該光学ユニットを備えた電子カメラをは下記のような特徴ある構成を有している。なお下記以外の特徴ある構成については実施形態の中で明らかにする。
【０００６】
（１）本発明の光学ユニットは、
被写体からの光束を取込む光学部材（プリズム）と、この光学部材で取込まれる光束の光量を調整するための光量調整機構と、この光量調整機構を駆動する光量調整用アクチュエーターと、前記光学部材及び光量調整機構及び光量調整用アクチュエーターを収容する第一のケース部材とを有する第一のユニット（光量調整ユニット）と、前記光量調整機構で光量を調整された光束から所定の被写体像を得るべく移動可能に設けられたレンズ群と、これらのレンズ群を駆動するレンズ駆動用アクチュエーターと、前記レンズ群及びレンズ駆動用アクチュエーターを収容する第二のケース部材とを有する第二のユニット（レンズユニット）と、を備え、前記第一のユニットと第二のユニットとは、前記第一のケース部材と第二のケース部材との間に設けられた結合手段を介して着脱自在に結合可能となっていることを特徴としている。
【０００７】
上記光学ユニットにおいては、第一のユニット及び第二のユニットを各々独自に組立や調整を行なって製作することができる。このため作業の単純化を図ることができ、短い時間で的確に組み立てることができる上、組立て後の調整や保守管理等も容易に行なえる利点をもつ。
【０００８】
（２）本発明の電子カメラは、上記（１）等に記載の光学ユニットを搭載したことを特徴としている。
【０００９】
【発明の実施の形態】
［第一実施形態］
図１は本発明の第一実施形態に係るコンパクト型電子カメラの概略的構成を示す図で、（ａ）は略式上面断面図、（ｂ）は正面図、（ｃ）は略式側面断面図である。
【００１０】
図１において、１０はカメラ本体であり、その正面には被写体からの光を取り入れる入射開口部１１，ストロボ発光窓１２などが設けられている。またカメラ本体１０の上面にはレリーズボタン１３が設けられている。更に、図示はしてないがカメラ本体１０の背面には画像表示窓等が配設されている。カメラ本体１０の内部には、光学ユニット１４，ストロボユニット１５，電子回路基板１６，画像表示器（ＬＣＤ等）１７，電池室１８などが配設されている。
【００１１】
光学ユニット１４は、入射開口部１１から入射した被写体からの光を反射光学部材であるプリズム２１で入射光軸ＯＡとは直角な方向へ反射し、レンズ群２２を通して得た光像を撮像素子２３の受光面上に照射することにより、被写体像を光電変換するものとなっている。本実施形態における光学ユニット１４は、図示の如くカメラ正面から見て縦長な状態に配置されている。
【００１２】
［第二実施形態］
図２は本発明の第二実施形態に係るコンパクト型電子カメラの概略的構成を示す図で、（ａ）は略式上面断面図、（ｂ）は正面図、（ｃ）は略式側面断面図である。この第二実施形態が前記第一実施形態と異なる主な点は、光学ユニット１４が図示の如くカメラ正面から見て横長な態様でカメラ本体内に収容配置されている点である。なおこれに伴い、カメラ本体１０に収容されている他の部品の形状及び配置関係も若干異なっている。しかし機能上は全く同等であるため、同一機能を有する部分には同一符号が付されている。
【００１３】
（実施例）
図３は、図１に示す第一実施形態に係る電子カメラ、及び図２に示す第二実施形態に係る電子カメラに、夫々適用される光学ユニット１４の実施例を示す図で、（ａ）は正面図、（ｂ）は蓋の部分を取外した状態を示す正面図である。
【００１４】
図４の（ａ）は図３の（ａ）のａ−ａ線矢視断面図であり、図４の（ｂ）は図３の（ａ）のｂ−ｂ線矢視断面図である。
【００１５】
図３及び図４に示すように、光学ユニット１４は本発明の第一のユニットである光量調整ユニットＳＵと、本発明の第二のユニットであるレンズユニットＬＵとが一体化されたものとなっている。
【００１６】
光量調整ユニットＳＵは、前述した反射光学部材であるプリズム２１を有するプリズム光学系と、このプリズム光学系の光出射面に対向して配置された遮光機構としてのシャッター機構４０及び減光機能等を有する光量制限機構５０を備えた光量調整機構３０を含んでいる。遮光機構としてのシャッター機構４０は、光路内に設けた遮光用ベース上の開口部を適宜開放状態となす。また光量制限機構５０は上記開口部を通る光の量を適宜減光フィルター等により制限する。
【００１７】
光量調整機構３０は、上記シャッター機構４０や光量制限機構５０等を駆動制御するための光量調整用アクチュエーター６０を備えている。光量調整用アクチュエーター６０は反射光学部材であるプリズム２１の片側に隣接して配置された第一のアクチュエーター６１及び第二のアクチュエーター６２からなっている。
【００１８】
第一のアクチュエーター６１は、シャッター機構４０を駆動するためのアクチュエーターであり、回転可能に支持された駆動用シャフト６３を有している。また第二のアクチュエーター６２は、光量制限機構５０を駆動するためのアクチュエーターであり、回転可能に支持された駆動用シャフト６４を有している。
【００１９】
各駆動用シャフト６３，６４は平行で且つ同一方向を向くように隣接して配置され、且つ一体化されて一つのケース６５内に収容されている。
【００２０】
レンズユニットＬＵは、一対のガイド軸２４，２５に沿って折り曲げ後の光軸（第二の光軸）ＯＢの方向へ移動可能に設けられたレンズ群２２と、これらのレンズ群２２が上記光軸方向の所定位置へ移動するように当該レンズ群２２を駆動するためのレンズ駆動用アクチュエーター７０（ステッピングモーター）とからなっている。レンズ駆動用アクチュエーター７０は、バリエータレンズ駆動用アクチュエーターである第一のステッピングモーター８０と、フォーカシングレンズ駆動用アクチュエーターである第二のステッピングモーター９０とを有している。
【００２１】
第一のステッピングモーター８０は、前記レンズ群２２のうちバリエータレンズ群２２Ｖを駆動するためのものであり、第二のステッピングモーター９０は前記レンズ群２２のうちフォーカシングレンズ群２２Ｆを駆動するためのものである。
【００２２】
第一のステッピングモーター８０は、回転可能に支持された一本のシャフト８１と、このシャフト８１の片側に設けられた永久磁石から成るローター８２と、このローター８２の周囲にそれぞれ配された励磁コイルを含むステーター８３とを備えている。
【００２３】
第二のステッピングモーター９０は、回転可能に支持された一本のシャフト９１と、このシャフト９１の片側に設けられた永久磁石から成るローター９２と、このローター９２の周囲にそれぞれ配された励磁コイルを含むステーター９３とを備えている。
【００２４】
第一のステッピングモーター８０のシャフト８１と、第二のステッピングモーター９０のシャフト９１とは平行に並んでいる。そして第一のステッピングモーター８０のローター８２およびステーター８３からなる駆動部と、第二のステッピングモーター９０のローター９２およびステーター９３からなる駆動部とが、互いに反対側に位置するように配置されている。
【００２５】
次に、前記光量調整ユニットＳＵとレンズユニットＬＵとの結合関係について図５以下を参照して説明する。
【００２６】
第一のユニットである光量調整ユニットＳＵは、前述した被写体からの光束を取込むプリズム２１等を収容するための第一のケース部材１００（蓋部を取外した状態を示している）を有している。第二のユニットであるレンズユニットＬＵは、前述したレンズ群２２（図５には不図示）等を収容するための第二のケース部材２００（蓋部を取外した状態を示している）とを有している。第一のケース部材１００及び第二のケース部材２００の結合部位には、光束透過窓１００Ｗ及び２００Ｗが対向して設けられている。
【００２７】
上記光量調整ユニットＳＵとレンズユニットＬＵとは、前記第一のケース部材１００と第二のケース部材２００との間に設けられた結合手段ＣＭを介して着脱自在に結合され得るものとなっている。
【００２８】
結合手段ＣＭは、第二のケース部材２００の結合部位において光軸ＯＢの方向に沿って突出した突出部群２１１，２１２，２１３と、これら突出部群が嵌挿可能なように第一のケース部材１００及びプリズム２１に設けた嵌挿部群１１１，１１２，１１３及び係合部群３１１，３１２，３１３と、第二のケース部材２００の結合部位に設けたビス挿入孔群２０１，２０２と、これらビス挿入孔群に挿入されるビス群３０１，３０２が螺合可能なように第一のケース部材１００の結合部位に設けたねじ孔群１０１，１０２と、第一のケース部材１００の結合部位に設けた取付孔つき突起部１０３と、この取付孔つき突起部１０３が嵌合可能なように第二のケース部材２００の結合部位に設けられ且つ上記取付孔に挿入されるビス３０３が螺合可能なねじ孔を有するねじ孔つきの陥凹部２０３と、を含んでいる。
【００２９】
前記突出部群２１１，２１２，２１３は、第一のケース部材１００と第二のケース部材２００とが結合されるとき、上記第一のケース部材１００の中に収容されているプリズム２１の位置決めを行なう位置決め部材を構成している。
【００３０】
位置決め部材２１１は径の異なる円柱を二段に重ねた態様の二段式円柱部からなっている。この位置決め部材２１１は第一のケース部材１００に設けられている貫通孔１１１を貫通して、先端が第一のケース部材１００に収容されるプリズム２１の係合部３１１に係合する。
【００３１】
位置決め部材２１２は径の異なる円柱を三段に重ねた態様の三段式円柱部からなり、かつ一面（図中上面）がいわゆるＤカット面（平坦面）となっている。この位置決め部材２１２は第一のケース部材１００に設けられている切欠部１１２に円柱部の周面を嵌め込まれた状態において、先端が第一のケース部材１００に収容されるプリズム２１の係合部３１２に係合する。
【００３２】
位置決め部材２１３は径の異なる円柱を二段に重ねた態様の二段式円柱部からなり、かつ一面（図中下面）がいわゆるＤカット面（平坦面）となっている。この位置決め部材２１３は第一のケース部材１００に設けられている貫通孔１１３を貫通して、先端が第一のケース部材１００に収容されるプリズム２１の係合部３１３に係合する。
【００３３】
図６は、位置決め部材２１１〜２１３がプリズム２１の係合部３１１〜３１３に係合した状態を示す図で、プリズム２１の光軸ＯＢの方向から見た正面図である。
【００３４】
位置決め部材２１１〜２１３は、上述したように第一のケース部材１００に収容されるプリズム２１の位置決めを行なうと共に、その付け根部分を、第一のケース部材１００の結合部位に設けた嵌挿部群１１１〜１１３に嵌挿されることから、第一のケース部材１００と第二のケース部材２００との間の位置決めをも同時に行なっている。
【００３５】
図７は光量調整ユニットＳＵとレンズユニットＬＵとが結合手段ＣＭによって一体的に結合された状態を示す断面図である。図７に示すように、前記光量調整機構３０は、光量調整ユニットＳＵにおけるレンズユニットＬＵとの結合面近傍に配置されている。なお上記の如く光量調整ユニットＳＵとレンズユニットＬＵとが一体的に結合された状態では、図３の（ｂ）に示すように光量調整用アクチュエーター６０及び上記レンズ駆動用アクチュエーター７０は、前記レンズ群２２の光軸方向ＯＢと略平行な一つの直線領域に沿って配置される。
【００３６】
（実施形態における特徴点）
［１］実施形態に示された光学ユニット１４は、
被写体からの光束を取込む光学部材（プリズム２１）と、この光学部材（プリズム２１）で取込まれた光束の光量を調整するための光量調整機構３０と、この光量調整機構３０を駆動する光量調整用アクチュエーター６０と、前記光学部材（２１）及び光量調整機構３０及び光量調整用アクチュエーター６０を収容する第一のケース部材１００とを有する第一のユニット（光量調整ユニットＳＵ）と、
前記光量調整機構３０で光量を調整された光束から所定の被写体像を得るべく移動可能に設けられたレンズ群２２と、これらのレンズ群２２を駆動するレンズ駆動用アクチュエーター７０と、前記レンズ群２２及びレンズ駆動用アクチュエーター７０を収容する第二のケース部材２００とを有する第二のユニット（レンズユニットＬＵ）と、
を備え、前記第一のユニット（ＳＵ）と第二のユニット（ＬＵ）とは、前記第一のケース部材１００と第二のケース部材２００との間に設けられた結合手段ＣＭを介して着脱自在に結合可能となっていることを特徴としている。
【００３７】
上記光学ユニット１４においては、第一のユニット（ＳＵ）及び第二のユニット（ＬＵ）を各々独自に組立や調整を行なって製作することができる。このため作業の単純化を図ることができ、短い時間で的確に組み立てることができる上、組立て後の調整や保守管理等も容易に行なえる利点をもつ。
【００３８】
［２］実施形態に示された光学ユニット１４は、前記［１］に記載の光学ユニットであって、
前記光量調整用アクチュエーター６０は、前記光学部材（２１）の片側に隣接して配置されていることを特徴としている。
【００３９】
［３］実施形態に示された光学ユニット１４は、前記［１］又は［２］に記載の光学ユニットあって、
前記光学部材（２１）は、被写体から入射する光束を折り曲げる反射光学部材（プリズム２１）であることを特徴としている。
【００４０】
［４］実施形態に示された光学ユニット１４は、前記［１］又は［２］又は［３］に記載の光学ユニットあって、
前記光量調整機構３０は、前記第一のユニット（ＳＵ）における前記第二のユニット（ＬＵ）との結合面に配置されていることを特徴としている。
【００４１】
上記光学ユニット１４においては、光量調整機構３０が、第一のユニット（ＳＵ）における前記第二のユニット（ＬＵ）との結合面に配置されているので、検査などを行なう際、第一のユニット（ＳＵ）と第二のユニット（ＬＵ）とを分離状態にすれば、光量調整機構３０が結合面に現れる。したがって点検作業や改修作業等が大変し易いものとなる。
【００４２】
［５］実施形態に示された光学ユニット１４は、前記［１］ないし［４］のいずれか一つに記載の光学ユニットあって、
前記第一のユニット（ＳＵ）と前記第二のユニット（ＬＵ）とを一体的に結合した状態において、上記光量調整用アクチュエーター６０及び上記レンズ駆動用アクチュエーター７０は、前記レンズ群２２の光軸方向ＯＢと略平行な一つの直線領域に沿って配置されていることを特徴としている。
【００４３】
上記光学ユニット１４においては、各アクチュエーター６０，７０が光軸方向ＯＢの側傍にまとめて配置されているため、実装効率が向上し、小型化、薄型化に寄与する。
【００４４】
［６］実施形態に示された光学ユニット１４は、前記［１］ないし［５］のいずれか一つに記載の光学ユニットあって、
前記第二のケース部材２００は、前記第一のケース部材１００との結合をはかるための結合部位に、上記第一のケース部材１００の中に収容されている前記光学部材（２１）を位置決めするための位置決め部材２１１〜２１３を備えていることを特徴としている。
【００４５】
上記光学ユニット１４においては、第一のケース部材１００と第二のケース部材２００との結合操作によって、第一のケース部材１００に収容されている光学部材（２１）の位置決め操作が同時に行なわれる。このため、上記光学部材（２１）の位置決めを格別に行なう必要がなく、組み付け作業が簡易化される。また第二のケース部材２００に設けてある位置決め部材２１１〜２１３によって、第一のケース部材１００に収容されている光学部材（２１）の位置決めが行なわれるので、第一のユニット（ＳＵ）の光学部材（２１）と第二のユニット（ＬＵ）のレンズ群２２との光軸合わせが容易に実現する。
【００４６】
［７］実施形態に示された光学ユニット１４は、前記［６］に記載の光学ユニットあって、
前記第二のケース部材２００に設けられた位置決め部材２１１〜２１３は、前記第一のケース部材１００と第二のケース部材２００との間の位置決めを行なうケース部材間の位置決め部材を兼ねていることを特徴としている。
【００４７】
上記光学ユニット１４においては、第一のケース部材１００と第二のケース部材２００とを結合操作する事によって、第一のケース部材１００に収容されている光学部材（２１）の位置決めが行なわれると同時に、両ケース部材間の位置決めが行なわれる。したがって組み付け作業が更に簡易化される。しかも新たな位置決め部材を格別に必要としないので部品点数を削減できる。
【００４８】
［８］実施形態に示された光学ユニット１４は、前記［７］に記載の光学ユニットあって、
前記位置決め部材２１１〜２１３は光軸ＯＢの方向に沿って突出した突出部からなり、前記第一のケース部材１００は上記突出部が嵌挿される嵌挿部（孔部、切欠部）１１１〜１１３を有し、前記光学部材（２１）は上記嵌挿部１１１〜１１３に嵌挿された前記突出部と係合する係合部３１１〜３１３を備えていることを特徴としている。
【００４９】
［９］実施形態に示された光学ユニット１４は、
被写体からの光束を取込む光学部材（２１）と、上記光学部材（２１）で取込まれた光束の光量を調整するための光量調整機構３０と、前記光学部材（２１）及び光量調整機構３０を収容する第一のケース部材１００とを有する第一のユニット（ＳＵ）と、
前記光量調整機構３０で光量を調整された光束から被写体像を得るべく移動可能に設けられたレンズ群２２と、これらのレンズ群２２を収容する第二のケース部材２００とを有する第二のユニット（ＬＵ）と、
前記第一のユニット（ＳＵ）と第二のユニット（ＬＵ）とを着脱自在に結合するように前記第一のケース部材１００と第二のケース部材２００との間に設けられた結合手段ＣＭと、
この結合手段ＣＭにより前記第一のケース部材１００と第二のケース部材２００とが結合されるとき、上記第一のケース部材１００の中に収容されている前記光学部材（２１）の位置決めがなされるように、前記第二のケース部材２００の結合部位に設けられた位置決め部材２１１〜２１３と、
を備えたことを特徴としている。
【００５０】
［１０］実施形態に示された電子カメラは、
請求項１ないし９のいずれか一つに記載の光学ユニット１４を搭載したことを特徴としている。
【００５１】
（変形例）
実施形態に示された光学ユニット及び電子カメラは、下記の変形例を含んでいる。
【００５２】
・反射光学部材としてプリズムの代わりにミラーを用いたもの。
【００５３】
【発明の効果】
本発明によれば、第一のユニット（ＳＵ）と第二のユニット（ＬＵ）とは、第一のケース部材１００と第二のケース部材２００との間に設けられた結合手段ＣＭを介して着脱自在に結合可能となっているため、第一のユニット（ＳＵ）及び第二のユニット（ＬＵ）を各々独自に組立や調整を行なって製作することができる。このため組立て作業の単純化を図ることができ、短い時間で的確に組み立てることができ、しかも組立て後の調整や保守管理等も容易に行なえる利点をもつ、光学ユニット及び当該光学ユニットを備えた電子カメラを提供できる。
【図面の簡単な説明】
【図１】本発明の第一実施形態に係る電子カメラの概略的構成を示す図で、（ａ）は略式上面断面図、（ｂ）は正面図、（ｃ）は略式側面断面図。
【図２】本発明の第二実施形態に係る電子カメラの概略的構成を示す図で、（ａ）は略式上面断面図、（ｂ）は正面図、（ｃ）は略式面断面図。
【図３】本発明の第一実施形態および第二実施形態に係る電子カメラにそれぞれ適用された光学ユニットの実施例を示す図で、（ａ）は正面図、（ｂ）は蓋の部分を取外した状態の正面図。
【図４】前記実施例における光学ユニットの更に具体的な構成を示す図で、（ａ）は図３の（ａ）のａ−ａ線矢視断面図、（ｂ）は図３の（ａ）のｂ−ｂ線矢視断面図。
【図５】前記実施例における光量調整ユニットとレンズユニットとの結合関係を示す図で、両ユニットを分離して示す要部斜視図。
【図６】前記実施例における位置決め部材がプリズムの係合部に係合した状態を示す図で、プリズムを光軸ＯＢの方向から見た正面図。
【図７】前記実施例における光量調整ユニットとレンズユニットとが一体的に結合された状態を示す断面図。
【符号の説明】
１０　カメラ本体
１４　光学ユニット
ＳＵ　光量調整ユニット（第一のユニット）
ＬＵ　レンズユニット（第二のユニット）
２１　プリズム（反射光学部材）
２２　レンズ群
３０　光量調整機構
４０　シャッター機構
５０　光量制限機構
６０　光量調整用アクチュエーター
６１　第一のアクチュエーター
６２　第二のアクチュエーター
７０　レンズ駆動用アクチュエーター
８０　第一のステッピングモーター
９０　第二のステッピングモーター
１００　第一のケース部材
２００　第二のケース部材
ＣＭ　結合手段
１０１，１０２　ねじ孔群
１０３　取付孔つき突起部
２０３　ねじ孔つきの陥凹部
１１１，１１２，１１３　嵌挿部群
２１１，２１２，２１３　突出部群（位置決め部材）
３１１，３１２，３１３　係合部群
２０１，２０２　挿入孔群
【図１】
2004053687.tif 000003
【図２】
2004053687.tif 000004
【図３】
2004053687.tif 000005
【図４】
2004053687.tif 000006
【図５】
2004053687.tif 000007
【図６】
2004053687.tif 000008
【図７】
2004053687.tif 000009